(57)【要約】【課題】冊子体に印刷した分割二次元コードから二次元コードを容易に復元できないようにする。【解決手段】実施形態１に係る冊子体３０において，所定の分割パターンに従い二次元コード１を画像分割することで得られた二つの分割二次元コード２は用紙３００と用紙３０１に分けて印刷され，二つの分割二次元コード２それぞれは，用紙３０１を加工対象の用紙として所定の復元手順に従い手加工すると，二つの分割二次元コード２のつなぎ目が合って二次元コード１が復元するようにレイアウトされている。【選択図】図２
2020064381.tif 000002
【特許請求の範囲】
【請求項１】
所定の分割パターンに従い二次元コードを画像分割することで得られた二つの分割二次元コードがそれぞれ異なる用紙に分けて印刷され，二つの前記分割二次元コードそれぞれは，前記分割二次元コードを印刷した用紙うちの少なくとも一枚を加工対象の用紙として所定の復元手順に従い手加工すると，二つの前記分割二次元コードのつなぎ目が合って前記二次元コードが復元するようにレイアウトされていることを特徴とする冊子体。
【請求項２】
前記加工対象の用紙を左右いずれかの一方にずらして前記二次元コードを復元する手順を前記復元手順とし，前記加工対象の用紙に印刷する一つの前記分割二次元コードを，つなぎ目が小口辺に沿うようにレイアウトし，前記加工対象の用紙とは異なる用紙に印刷するもう一方の前記分割二次元コードを，前記加工対象の用紙を左右いずれかの一方にずらすと，前記加工対象の用紙に印刷している前記分割二次元コードとつなぎ目を合わせられる位置にレイアウトしたことを特徴とする，請求項１に記載した冊子体。
【請求項３】
前記加工対象の用紙を折ることで前記二次元コードを復元する手順を前記復元手順とし，前記加工対象の用紙に印刷する一つの前記分割二次元コードを，つなぎ目が小口辺と沿うようにレイアウトし，前記加工対象の用紙とは異なる用紙に印刷するもう一方の前記分割二次元コードを，前記加工対象の用紙を少なくとも所定の折り線で折ると，前記加工対象の用紙に印刷している前記分割二次元コードとつなぎ目を合わせられる位置にレイアウトしたことを特徴とする，請求項１に記載した冊子体。
【請求項４】
前記加工対象の用紙を冊子体から切り離し，前記加工対象の用紙とは異なる用紙の上に前記加工対象の用紙を重ねることで前記二次元コードを復元する手順を前記復元手順とし，前記加工対象の用紙に切り離し線を加工し，前記加工対象の用紙に印刷する一つの前記分割二次元コードを，冊子体の背を除く三方の辺のいずれか一つもしくは切り離し線とつなぎ目が沿うようにレイアウトし，前記加工対象の用紙とは異なる用紙に印刷するもう一方の前記分割二次元コードを，前記加工対象の用紙とは異なる用紙の上に前記加工対象の用紙を重ねると，前記加工対象の用紙に印刷している前記分割二次元コードとつなぎ目を合わせられる位置にレイアウトしたことを特徴とする，請求項１に記載した冊子体。
【請求項５】
前記切り離し線をミシン目状にしたことを特徴とする，請求項４に記載した冊子体。
【請求項６】
前記加工対象の用紙とは異なる用紙に印刷する前記分割二次元コードを斜めの姿勢にレイアウトしたことを特徴とする，請求項４または請求項５に記載した冊子体。
【発明の詳細な説明】
【技術分野】
【０００１】
本発明は，二次元コードを印刷した冊子体に関する。
【背景技術】
【０００２】
所定のサービスを冊子体の読者に提供するウェブページにアクセスする際に必要となるデータをエンコードした二次元コードを雑誌などの冊子体に印刷して，該ウェブページに冊子体の読者を誘導することが以前より行われている。冊子体の読者は，二次元コードの読み取り機能を有するコンピュータ機器を用いて，冊子体に印刷されている二次元コードを読み取る手加工を行い，このコンピュータ機器は，二次元コードにエンコードされているデータをデコードし，このデータで示されるウェブページをディスプレイに表示する処理を行う。
【０００３】
ウェブページにアクセスする際に必要となるデータとしては，ウェブページのＵＲＬ（Uniform Resource Locator）を用いることが一般的で，ウェブページで提供するサービスとしては，冊子の読者のみが参加できる懸賞の応募や冊子の読者のみに提供する特典映像が多い。
【０００４】
二次元コードの読み取りには二次元コードリーダと称される専用機器が以前は必要であったが，現在では，市販されているタブレットコンピュータやスマートフォンなどのモバイル端末を二次元コードの読み取りに利用できるので，冊子体に印刷した二次元コードの不正読み取りを防止する対策が重要視されている。
【０００５】
無料で配布する冊子体の場合，冊子体に印刷した二次元コードの不正読み取りについて考慮する必要性はあまりないが，有料で販売する冊子体の場合，モバイル端末を用いた二次元コードの不正読み取りが容易であると，冊子体の購買者に不利益が発生してしまう。
【０００６】
例えば，冊子体の購買者に提供するサービスが，冊子の読者のみが参加できる懸賞の場合，モバイル端末を用いた二次元コードの不正読み取りが容易であると，冊子体を購入していない者が懸賞に応募でき，結果として，懸賞の応募者が多くなり冊子体の購買者に不利益が発生してしまう。
【０００７】
冊子体に印刷した二次元コードの不正読み取りを防止する手法として，例えば，特許文献１の段落００２４には，袋綴じの折り丁の内側になる箇所に二次元コードを印刷する方法や，スクラッチ加工により二次元コードを隠蔽する手法が記載されている。
【０００８】
上記の２つの手法でも，冊子体に印刷した二次元コードの不正読み取りを防止できるが，二次元コードの不正読み取りを防止するための特別な加工が冊子体に必要になり，冊子体の製造コストがアップしてしまう。
【０００９】
冊子体の製造コストがアップすることなく，二次元コードの不正読み取りを防止する手法として，一つの二次元コードを二つに分割して印刷する手法が特許文献２などで開示されている。特許文献２で開示されている発明では，一つの二次元コードを２つの分割二次元コードに分割し，二つの分割二次元コードをそれぞれ区別できる状態で一つのクーポン券に印刷し，クーポン券を切り離して二次元コードの分割二次元コードを揃えることで，コンピュータによって識別可能な二次元コードが復元される。
【００１０】
また，特許文献３では，幾何学模様である二次元コードを複数に画像分割した分割二次元コードを印刷物の一枚の用紙の所定位置に散在させて印刷し，分割二次元コードを印刷した用紙を一定の条件で加工すると，分割二次元コードを印刷した用紙に散在していた分割二次元コードが結合し，二次元コードを再生できるようにした印刷物が開示されている。
【先行技術文献】
【特許文献】
【００１１】
【特許文献１】特開２００４−１９２１０２号公報
【特許文献２】特開２０１７−７３０４９号公報
【特許文献３】特開２０１０−２３１５３５号公報
【発明の概要】
【発明が解決しようとする課題】
【００１２】
しなしながら，特許文献２，３で開示されている発明では，二次元コードの分割二次元コードを印刷する用紙の数が一枚になるため，二次元コードの分割二次元コードを印刷した一枚の用紙が破られ易いなど，二次元コードの不正読み取りの観点からすると改善すべき点が残る。
【００１３】
そこで，本発明は，冊子体に印刷した分割二次元コードから二次元コードを容易に復元できないようにすることで，二次元コードの不正読み取りが行われる危険性をより低減する。
【課題を解決するための手段】
【００１４】
上述した課題を解決する第１発明に係る冊子体は，所定の分割パターンに従い二次元コードを画像分割することで得られた二つの分割二次元コードがそれぞれ異なる用紙に分けて印刷され，二つの前記分割二次元コードそれぞれは，前記分割二次元コードを印刷した用紙うちの少なくとも一枚を加工対象の用紙として所定の復元手順に従い手加工すると，二つの前記分割二次元コードのつなぎ目が合って前記二次元コードが復元するようにレイアウトされていることを特徴とする。
【００１５】
本発明では，二次元コードを復元する復元手順に応じて，分割二次元コードのレイアウトは変更になる。
【００１６】
第２発明に係る冊子体は，前記加工対象の用紙を左右いずれかの一方にずらして前記二次元コードを復元する手順を前記復元手順とする。第２発明に係る冊子体において，前記加工対象の用紙に印刷する一つの前記分割二次元コードは，つなぎ目が小口辺に沿うようにレイアウトされる。また，前記加工対象の用紙とは異なる用紙に印刷するもう一方の前記分割二次元コードは，前記加工対象の用紙を左右いずれかの一方にずらすと，前記加工対象の用紙に印刷している前記分割二次元コードとつなぎ目を合わせられる位置にレイアウトされる。
【００１７】
第３発明に係る冊子体は，前記加工対象の用紙を折ることで前記二次元コードを復元する手順を前記復元手順とする。第３発明に係る冊子体において，前記加工対象の用紙に印刷する一つの前記分割二次元コードは，つなぎ目が小口辺と沿うようにレイアウトされる。また，前記加工対象の用紙とは異なる用紙に印刷するもう一方の前記分割二次元コードは，前記加工対象の用紙を少なくとも所定の折り線で折ると，前記加工対象の用紙に印刷している前記分割二次元コードとつなぎ目を合わせられる位置にレイアウトされる。
【００１８】
第４発明に係る冊子体は，前記加工対象の用紙を冊子体から切り離し，前記加工対象の用紙とは異なる用紙の上に前記加工対象の用紙を重ねることで前記二次元コードを復元する手順を前記復元手順としている。第４発明に係る冊子体において，前記加工対象の用紙に切り離し線が加工され，前記加工対象の用紙に印刷する一つの前記分割二次元コードは，冊子体の背を除く三方の辺のいずれか一つもしくは切り離し線とつなぎ目が沿うようにレイアウトされる。また，前記加工対象の用紙とは異なる用紙に印刷するもう一方の前記分割二次元コードは，前記加工対象の用紙とは異なる用紙の上に前記加工対象の用紙を重ねると，前記加工対象の用紙に印刷している前記分割二次元コードとつなぎ目を合わせられる位置にレイアウトされる。なお，第４発明において，前記切り離し線をミシン目状にすることが好適である。更に，第４発明において，前記加工対象の用紙とは異なる用紙に印刷する前記分割二次元コードを斜めの姿勢にレイアウトすることが好適である。
【発明の効果】
【００１９】
本発明では，二つの分割二次元コードをそれぞれ異なる用紙に分けて印刷しているので，二次元コードを復元するには，二つの分割二次元コードそれぞれを冊子体から見つけることが必要になる。二つの分割二次元コードそれぞれを冊子体から見つけることが必要であれば，書店などで，二次元コードの復元を容易に行えず，二次元コードの不正読み取りが行われる危険性をより低減できる。
【図面の簡単な説明】
【００２０】
【図１】二次元コードと分割二次元コードを説明する図。
【図２】実施形態１に係る冊子体を説明する図。
【図３】実施形態１において，分割二次元コードを印刷した用紙を説明する図。
【図４】実施形態１における二次元コードの復元手順を説明する図。
【図５】実施形態２に係る冊子体を説明する図。
【図６】実施形態２において，分割二次元コードを印刷した用紙を説明する図。
【図７】実施形態２における二次元コードの復元手順を説明する図。
【図８】実施形態３に係る冊子体を説明する図。
【図９】実施形態３において，分割二次元コードを印刷した用紙を説明する図。
【図１０】実施形態３における二次元コードの復元手順を説明する図。
【図１１】実施形態３に係る変形例１を説明する図。
【図１２】実施形態３に係る変形例２を説明する図。
【図１３】実施形態３に係る変形例３を説明する図。
【図１４】実施形態３に係る変形例４を説明する図。
【図１５】実施形態３に係る変形例５を説明する図。
【発明を実施するための形態】
【００２１】
ここから，本発明の好適な実施形態を記載する。なお，以下の記載は本発明の技術的範囲を束縛するものでなく，理解を助けるために記述するものである。
【００２２】
まず，実施形態１に係る冊子体３０を説明しながら，本発明の基本原理について説明する。図１は，二次元コード１と分割二次元コード２を説明する図である。図２は，実施形態１に係る冊子体３０を説明する図である。図３は，実施形態１における分割二次元コード２のレイアウトを説明する図である。図４は，実施形態１における二次元コード１の復元手順を説明する図である。
【００２３】
図１（ａ）では，二次元コード１を図示し，図１（ｂ）では，分割二次元コード２を図示し，図１（ｃ）では，二次元コード１の分割パターンを図示している。
【００２４】
本発明において，二次元コード１とは，横方向と縦方向それぞれに情報を有する方式のコードを意味し，図１（ａ）で示したように，二次元コード１とは，分割されていない完全な状態における二次元コード１の画像を意味する。
【００２５】
二次元コード１の種類には，横方向にのみ情報を有する一次元バーコードを縦方向に複数積み重ねたスタック型もあるが，小さな正方形をマトリクス状に配列した形態をなし，誤り訂正符号を有するマトリクス型が本発明に適している。後述するように，本発明では，二つの分割二次元コード２のつなぎ目を合わせて元になった二次元コード１を復元する。二次元コード１をスタック型にすると，二つの分割二次元コード２のつなぎ目を合わせた際にずれなどが生じるとコード読み取り装置（例えば，スマートフォン）側で読み取り誤差が発生し易くなるが，二次元コード１をマトリクス型にすると，二つの分割二次元コード２から二次元コード１を復元した際にずれなどが生じても，誤り訂正符号を利用することで，コード読み取り装置は二次元コード１を高い確率でデコードできる。
【００２６】
図１（ａ）で図示した二次元コード１は，誤り訂正符号を有するマトリクス型の二次元コード１の一つであるＱＲコード（登録商標）である。ＱＲコード（登録商標）としている二次元コード１には，二次元コード１の切り出しに用いられる三つの切り出しシンボル１０や，二次元コード１を読み取るときの歪み補正に用いられる一つのアライメント図柄１１が含まれ，所定のサービスを実施形態１に係る冊子体３０の購買者に提供するウェブページにアクセスする際に必要となるデータ（例えば，ウェブページのＵＲＬ）が二次元コード１にエンコードされている。
【００２７】
図１（ｂ）で示したように，分割二次元コード２とは，所定の分割パターンに従い一つの二次元コード１を画像分割することで得られるそれぞれの画像を意味する。なお，それぞれの分割二次元コード２を区別して記載するとき，分割二次元コード２の符号にアルファベットの一文字を付加する。
【００２８】
二つの分割二次元コード２のつなぎ目を手で合わせて一つの分割二次元コード２を復元することを考慮すると，二次元コード１の分割数は二分割が適している。分割パターンは，二次元コード１を分割する内容を指定するパターンで，縦方向分割や横方向分割などを分割パターンに使用できる。図１（ｃ）で図示した分割パターンは，図１（ｂ）で示した分割二次元コード２を得るときに利用した分割パターンで，この分割パターンは，縦方向の分割線１ａにより二次元コード１を左右で二分割するパターンになっている。
【００２９】
図１（ｂ）で図示した分割二次元コード２は，図１（ｃ）で図示した分割パターンに従い，図１（ａ）で図示した二次元コード１を縦方向に二分割した画像である。左側の分割二次元コード２ａには，二つの切り出しシンボル１０が含まれており，図１（ｃ）で図示した分割パターンに従えば，分割二次元コード２ａのつなぎ目は分割二次元コード２ａの右辺になる。また，右側の分割二次元コード２ｂには，一つの切り出しシンボル１０と一つのアライメント図柄１１が含まれており，図１（ｃ）で図示した分割パターンに従えば，分割二次元コード２ｂのつなぎ目は分割二次元コード２ｂの左辺になる。
【００３０】
図２で図示したように，実施形態１に係る冊子体３０において，所定の分割パターンに従い二次元コード１を画像分割することで得られた二つの分割二次元コード２は用紙３００と用紙３０１に分けて印刷され，二つの分割二次元コード２それぞれは，用紙３０１を加工対象の用紙として所定の復元手順に従い手加工すると，二つの分割二次元コード２のつなぎ目が合って二次元コード１が復元するようにレイアウトされている。
【００３１】
二つの分割二次元コード２をそれぞれ異なる用紙（ここでは，二枚の用紙）に分けて印刷しているのは，所定のウェブページへアクセスする際に必要となるデータをエンコードした二次元コード１の不正読み取りを防止するためである。二つの分割二次元コード２をそれぞれ異なる用紙に分けて印刷することで，二次元コード１の復元には，二つの分割二次元コード２それぞれを実施形態１に係る冊子体３０から見つけることが必要になる。二次元コード１の復元に，二つの分割二次元コード２それぞれを実施形態１に係る冊子体３０から見つけることが必要であれば，書店などにおいて，二次元コード１の復元を容易に行えなくなる。なお，二つの分割二次元コード２を印刷する用紙が連続していると，分割二次元コード２を実施形態１に係る冊子体３０から見つけやすくなるので，二つの分割二次元コード２を印刷する用紙が連続しないようにすることが好適である。
【００３２】
本発明では，二次元コード１の復元手順に応じて，分割二次元コード２のレイアウトは変更になる。二次元コード１の復元手順としては，加工対象の用紙を折ることで二次元コード１を復元する手順や，加工対象の用紙を実施形態１に係る冊子体３０から切り離し，加工対象の用紙とは異なる用紙の上に加工対象の用紙を重ねることで二次元コード１を復元する手順なども考えられるが，実施形態１では，二次元コード１の復元手順を，加工対象の用紙を左右いずれかの一方にずらして二次元コード１を復元する手順としている。
【００３３】
加工対象の用紙を左右いずれかの一方にずらして二次元コード１を復元するためには，加工対象の用紙に印刷する一つの分割二次元コード２を，つなぎ目が小口辺に沿うようにレイアウトすることが必要になる。更に，加工対象の用紙を左右いずれかの一方にずらして二次元コード１を復元するためには，加工対象の用紙とは異なる用紙に印刷するもう一方の分割二次元コード２を，加工対象の用紙を左右いずれかの一方にずらすと，加工対象の用紙に印刷している分割二次元コード２とつなぎ目を合わせられる位置にレイアウトすることが必要である。
【００３４】
図３等では，ステッチは綴じ側を示している。図３では，つなぎ目が小口辺に沿うように一つの分割二次元コード２ｂを加工対象となる８枚目となる用紙３０１の裏（ここでは，１６ページ）に印刷している。分割二次元コード２ｂを印刷した用紙３０１は右方向にしかずらせないので，図３では，分割二次元コード２ｂの天地方向の位置に合せ，もう一方の分割二次元コード２ａを加工対象にならない５枚目となる用紙３００の裏（ここでは，１０ページ）に印刷している。なお，図３では，つなぎ目と対向する辺（二つの切り出しシンボルが配置されている側の辺になる）が小口辺に沿うように分割二次元コード２ａを用紙３００に印刷しているが，つなぎ目と対向する辺が小口辺と平行であればよく，点線枠３０２で示した位置のように，つなぎ目と対向する辺が小口辺から平行に離れた状態で分割二次元コード２ａをレイアウトしてもよい。
【００３５】
図３のように，二つの分割二次元コード２をレイアウトした場合，図４で図示したように，二つの分割二次元コード２のつなぎ目が合うまで，用紙３００の次の用紙から用紙３０１までにある用紙（６枚目から８枚目の用紙）を右方向にずらすことで，二つの分割二次元コード２の元になった二次元コード１を復元できる。なお，実施形態１に係る冊子体３０の綴じ方によっては，用紙の裏になる偶数ページが見開きの右側になることもあり，この場合，つなぎ目が小口辺を合わせた分割二次元コード２を印刷した用紙をずらす方向は左方向になる。また，二つの分割二次元コード２を用紙の表になる奇数ページに印刷した場合，つなぎ目を小口辺に合わせて分割二次元コード２を印刷した用紙をずらす方向は，図３では左方向になる。
【００３６】
ここまでは，加工対象の用紙を左右いずれかの一方にずらして元の二次元コード１を復元する形態について説明したが，ここからは，加工対象の用紙を折ることで二次元コード１を復元する形態について説明する。
【００３７】
図５は，実施形態２に係る冊子体３１を説明する図である。図６は，実施形態２における分割二次元コード２のレイアウトを説明する図である。図７は，実施形態２における二次元コード１の復元手順を説明する図である。なお，実施形態２では，図１を用いて説明した二次元コード１と分割二次元コード２を利用している。
【００３８】
図５で図示したように，実施形態２に係る冊子体３１では，所定の分割パターンに従い二次元コード１を画像分割することで得られた二つの分割二次元コード２が用紙３１０と用紙３１１に分けて印刷されている。二つの分割二次元コード２それぞれは，用紙３１１を加工対象の用紙として実施形態２に係る復元手順に従い手加工すると，二つの分割二次元コード２のつなぎ目が合い二次元コード１を復元できる位置にレイアウトされている。
【００３９】
加工対象の用紙を折ることで二次元コード１を復元できるためには，加工対象の用紙に印刷する一つの分割二次元コード２を，つなぎ目が小口辺と沿うようにレイアウトすることが必要になる。更に，加工対象の用紙を折ることで二次元コード１を復元できるためには，加工対象の用紙とは異なる用紙に印刷するもう一方の分割二次元コード２を，加工対象の用紙を少なくとも所定の折り線で折ると，加工対象の用紙に印刷している分割二次元コード２とつなぎ目を合わせられる位置にレイアウトすることが必要になる。
【００４０】
図６では，加工対象の用紙を用紙３１０とし，用紙３１０の表（ここでは，９ページ）に，つなぎ目が小口辺に沿うように分割二次元コード２ａを印刷している。また，加工対象の用紙になる用紙３１０よりも後ろになる用紙３１１の裏（ここでは，１６ページ）に，少なくとも用紙３１０を所定の折り線３１２で折ったときに分割二次元コード２ａとつなぎ目が合うように分割二次元コード２ｂを印刷している。具体的には，用紙３１０の表に印刷した分割二次元コード２ａの天地方向の位置に合せ，つなぎ目と対向する辺が綴じ側に沿う状態でもう一方の分割二次元コード２ｂを用紙３１１の裏に印刷している。
【００４１】
図６のように，二つの分割二次元コード２をレイアウトした場合，図７で図示したように，用紙３１０から用紙３１１の一つ前になる用紙までの間にある用紙（５枚目から７枚目の用紙）を折り線３１２に沿って折ることで，用紙３１０に印刷した分割二次元コード２ａのつなぎ目と用紙３１１に印刷した分割二次元コード２ｂのつなぎ目が合い，元になった二次元コード１を復元できる。
【００４２】
実施形態２では，用紙３１０を加工対象の用紙にしていたが，用紙３１０の後ろ側になる用紙３１１を加工対象の用紙にすることもできる。この場合，つなぎ目が小口辺に沿うように分割二次元コード２ｂを用紙３１１の裏（ここでは，１６ページ）に印刷し，加工対象の用紙になる用紙３１１を少なくとも所定の折り線で折ったときに，分割二次元コード２ｂとつなぎ目が合うように，もう一方の分割二次元コード２ａを用紙３１０の表（ここでは，１１ページ）に印刷する。
【００４３】
ここから，分割二次元コード２を印刷した二つの用紙のうちの一つを切り離して元の二次元コード１を復元する形態について説明する。
【００４４】
図８は，実施形態３に係る冊子体３２を説明する図である。図９は，実施形態３における分割二次元コード２のレイアウトを説明する図である。図１０は，実施形態３における二次元コード１の復元手順を説明する図である。なお，実施形態３では，図１を用いて説明した二次元コード１と分割二次元コード２を利用している。
【００４５】
図８で図示したように，実施形態３に係る冊子体３２では，所定の分割パターンに従い二次元コード１を画像分割することで得られた二つの分割二次元コード２が用紙３２０と用紙３２１に分けて印刷されている。二つの分割二次元コード２それぞれは，用紙３２１を加工対象の用紙として実施形態３に係る復元手順に従い手加工すると，二つの分割二次元コード２のつなぎ目が揃って二次元コード１を復元できる位置にレイアウトされており，加工対象となる用紙３２１には切り離し線３２２が加工されている。図８で図示した切り離し線３２２は，用紙３２１の切り離しを容易にできるようにミシン目状にしているが，切り離し線３２２を示す直線を用紙３２１に印刷加工してもよい。
【００４６】
加工対象の用紙を実施形態３に係る冊子体３２から切り離し，加工対象の用紙とは異なる用紙の上に加工対象の用紙を重ねることで二次元コード１を復元できるためには，加工対象の用紙（ここでは，用紙３２１）に切り離し線３２２を加工し，加工対象の用紙に印刷する一つの分割二次元コード２を，実施形態３に係る冊子体３２の背を除く三方の辺のいずれか一つもしくは切り離し線３２２とつなぎ目が沿うようにレイアウトすることが必要である。更に，加工対象の用紙とは異なる用紙（ここでは，用紙３２０）に印刷するもう一方の分割二次元コード２を，この用紙の上に加工対象の用紙を重ねると，加工対象の用紙に印刷している分割二次元コード２とつなぎ目を合わせられる位置にレイアウトすることが必要である。なお，分割二次元コード２を印刷した二枚の用紙すべてを実施形態３に係る冊子体３２から切り離しするようにもできるが，分割二次元コード２を印刷した二枚の用紙すべてが実施形態３に係る冊子体３２から不正に切り離しされ易くなるので，本発明では，切り離し線を加工する加工対象の用紙を一枚にしている。
【００４７】
図９では，つなぎ目が小口辺に沿うように分割二次元コード２ｂを加工対象の用紙となる用紙３２１の裏（ここでは，１６ページ）に印刷している。また，つなぎ目と対向する辺が小口辺に沿うように分割二次元コード２ａを用紙３２０の裏（ここでは，１０ページ）に印刷している。更に，加工対象となる用紙３２１にミシン目状の切り離し線３２２を加工している。なお，この復元手順では，二つの分割二次元コード２を印刷した間になる用紙の枚数は任意でよく，二次元コード１の不正読み取りを防止する観点からすると，この枚数は多い方が好適である。
【００４８】
図９のように，二つの分割二次元コード２をレイアウトした場合，図１０で図示したように，二つの分割二次元コード２を印刷した用紙のうち，ミシン目状の切り離し線３２２を利用して，つなぎ目が小口辺に沿うように分割二次元コード２ｂを印刷した用紙３２１を実施形態３に係る冊子体３２から切り離し（図１０（ａ）），分割二次元コード２ａを印刷した用紙３２０の上に，つなぎ目が揃うように分割二次元コード２ｂを印刷した用紙３２１を重ねることで（図１０（ｂ）），元の二次元コード１を復元できる。
【００４９】
加工対象となる用紙を実施形態３に係る冊子体３２から切り離して元の二次元コード１を復元する実施形態３については，様々な変形例が考えられる。
【００５０】
図１１は，実施形態３に係る変形例１を説明する図である。図９では，加工対象の用紙を用紙３０１にしていたが，加工対象の用紙は任意でよい。図１１で図示した変形例１に係る冊子体３３では，切り離し線３３２を加工した用紙３３０を加工対象の用紙とし，分割二次元コード２ｂを用紙３３０の裏に印刷し，加工対象としない用紙３３１の表に分割二次元コード２ａを印刷している。
【００５１】
図１２は，実施形態３に係る変形例２を説明する図である。図９では，つなぎ目と小口辺が平行になるように分割二次元コード２ａを，加工対象にならない用紙３２０の裏（ここでは，１０ページ）に印刷していたが，図１２（ａ）で図示したように，変形例２に係る冊子体３４では，斜めの姿勢で分割二次元コード２ａを加工対象にならない用紙３４０にレイアウトしている。この場合，図１２（ｂ）で図示したように，分割二次元コード２ｂを印刷した用紙３４１を変形例２に係る冊子体３４から切り離し，分割二次元コード２ａを印刷した用紙３４０の上に斜めにした状態で用紙３４１を重ねることで，元の二次元コード１を復元できる。
【００５２】
図１３は，実施形態３に係る変形例３を説明する図である。図１４は，実施形態３に係る変形例４を説明する図である。図１５は，実施形態３に係る変形例５を説明する図である。図９では，つなぎ目が小口辺に沿うように分割二次元コード２ｂを用紙３２１の裏に印刷していたが，つなぎ目は，実施形態３に係る冊子体３２の背を除く三方の辺のいずれか一つもしくは切り離し線３２２と合わせることができる。
【００５３】
図１３では，つなぎ目が変形例３に係る冊子体３５の地辺に沿うように分割二次元コード２ｂを加工対象になる用紙３５１の裏に印刷し，用紙３５１に切り離し線３５２を加工している。また，図１３では，つなぎ目と対向する辺が小口辺に沿った状態で，分割二次元コード２ａを加工対象にならない用紙３５０の裏に印刷している。変形例３に係る冊子体３５では，変形例３に係る冊子体３５から切り離した用紙３５１を右方向に９０度回転させて，用紙３５１の裏を用紙３５０の裏に重ねることで二次元コード１を復元できる。
【００５４】
図１４では，つなぎ目が変形例４に係る冊子体３６の天辺に沿うように分割二次元コード２ｂを加工対象となる用紙３６１の表（１５ページ）に印刷し，用紙３６１に切り離し線３６２を加工している。また，図１４では，つなぎ目と対向する辺が小口辺に沿った状態で，分割二次元コード２ａを加工対象にならない用紙３６０の裏に印刷している。変形例４に係る冊子体３６では，変形例４に係る冊子体３６から切り離した用紙３６１を左方向に９０度回転させて，用紙３６１の裏を用紙３６０の裏に重ねることで二次元コード１を復元できる。
【００５５】
図１５で図示した変形例５に係る冊子体３７は，つなぎ目が加工対象となる用紙３７１に加工された切り離し線３７２に沿うように分割二次元コード２ｂを用紙３０１の表（１５ページ）に印刷し，用紙３７１に切り離し線３７２を加工している。また，図１５では，つなぎ目と対向する辺が小口辺に沿った状態で，分割二次元コード２ａを加工対象にならない用紙３７０の裏に印刷している。変形例５に係る冊子体３７では，変形例５に係る冊子体３７から切り離した用紙３７１を回転させることなく，用紙３７１の表を用紙３７０の裏に重ねることで二次元コード１を復元できる。
【００５６】
なお，これまでの実施形態では，二次元コード１を縦方向分割していたが，二次元コード１を横方向分割した場合は，分割二次元コード２を印刷する向きが変わるだけで，二次元コード１を横方向分割した場合でも本発明を実現できる。
【符号の説明】
【００５７】
１    二次元コード
２    分割二次元コード
３０  実施形態１に係る冊子体
３００ａ，３００ｂ  用紙
３１  実施形態２に係る冊子体
３１０ａ，３１０ｂ  用紙
３１２  折り線
３２  実施形態３に係る冊子体
３２０ａ，３２０ｂ  用紙
３２２  切り離し線
３３  変形例１に係る冊子体
３３０ａ，３３０ｂ  用紙
３４  変形例２に係る冊子体
３４０ａ，３４０ｂ  用紙
３５  変形例３に係る冊子体
３５０ａ，３５０ｂ  用紙
３６  変形例４に係る冊子体
３６０ａ，３６０ｂ  用紙
３７  変形例５に係る冊子体
３７０ａ，３７０ｂ  用紙
【図１】
2020064381.tif 000003
【図２】
2020064381.tif 000004
【図３】
2020064381.tif 000005
【図４】
2020064381.tif 000006
【図５】
2020064381.tif 000007
【図６】
2020064381.tif 000008
【図７】
2020064381.tif 000009
【図８】
2020064381.tif 000010
【図９】
2020064381.tif 000011
【図１０】
2020064381.tif 000012
【図１１】
2020064381.tif 000013
【図１２】
2020064381.tif 000014
【図１３】
2020064381.tif 000015
【図１４】
2020064381.tif 000016
【図１５】
2020064381.tif 000017